(57)【要約】【課題】従来の床ノズル、特に、カーペットの床の掃除の際の操作性に関して、改善すること。【解決手段】本発明は、浮上スキッド（９）を含む第１のシーリング手段（８）によって、押出し方向（ｒ）に関して前後が仕切られた吸気室（３）を備え、前記吸気室（３）の内側に、必要に応じて回転可能なブラシ（６）が配置された掃除機用床ノズル（１）に関する。従来技術の床ノズルに関しては、特にカーペットの床の掃除の際に操作性に関して、少なくとも、通常の押出し方向（ｒ）に関して、前方の第１のシーリング手段（８）が、吸気室（３）の幅の一部に亘って固定され、幅の一部に亘って動くように改善することが提案される。【選択図】図２
2007520293.tif 000002
【特許請求の範囲】
【請求項１】
浮上スキッド（９）を含む第１のシーリング手段（８）によって、押出し方向（ｒ）に関して前後が仕切られた吸気室（３）を備え、前記吸気室（３）の内側に、必要に応じて回転可能なブラシ（６）が配置された床ノズル（１）であって、
少なくとも、通常の押出し方向（ｒ）に関して、前方の前記第１のシーリング手段（８）が、前記吸気室（３）の幅の一部に亘って固定され、幅の一部に亘ってスライド式に可動になっていることを特徴とする掃除機用床ノズル。
【請求項２】
前記第１のシーリング手段（８）の可動部（１４）が、前記第１のシーリング手段（８）の２つの固定部（１５）の間に同心円状に配置されることを特徴とする請求項１に記載の掃除機用床ノズル。
【請求項３】
少なくとも、前記第１のシーリング手段（８）の前記可動部（１４）に、押出し方向（ｒ）に関して前方に第２のシーリング手段（１１）が割り当てられていることを特徴とする請求項１又は請求項２に記載の掃除機用床ノズル。
【請求項４】
前記第２のシーリング手段（１１）が、唇状に形成されていることを特徴とする請求項１乃至請求項３のいずれか一項に記載の掃除機用床ノズル。
【請求項５】
前記第２のシーリング手段（１１）が、変形する弾性材料からなることを特徴とする請求項１乃至請求項４のいずれか一項に記載の掃除機用床ノズル。
【請求項６】
前記第２のシーリング手段（１１）が、前記第１のシーリング手段（８）の前記可動部（１４）が下がった状態で、これに支持されることを特徴とする請求項１乃至請求項５のいずれか一項に記載の掃除機用床ノズル。
【請求項７】
前記第１のシーリング手段（８）の前記可動部（１４）が、前記第２のシーリング手段（１１）の支持のために支持背部（１６）を有することを特徴とする請求項１乃至請求項６のいずれか一項に記載の掃除機用床ノズル。
【請求項８】
前記支持背部（１６）が、床を向いているときに、前記第１のシーリング手段（８）よりも短く突き出るように設けられていることを特徴とする請求項１乃至請求項７のいずれか一項に記載の掃除機用床ノズル。
【請求項９】
前記第１のシーリング手段（８）と前記第２のシーリング手段（１１）の間に中間室が設けられていることを特徴とする請求項１乃至請求項８のいずれか一項に記載の掃除機用床ノズル。
【請求項１０】
前記第２のシーリング手段（１１）が、少なくとも、前記第１のシーリング手段（８）の前記可動部（１４）の一部に、ヒレ状部材を形成するためにスリットが設けられていることを特徴とする請求項１乃至請求項９のいずれか一項に記載の掃除機用床ノズル。
【請求項１１】
前記床ノズル（１）の幅方向に、前記第１のシーリング手段（８）の２つの固定部（１５）の間にそれぞれ割り当てられた、前記第１のシーリング手段（８）の前記可動部（１４）が設けられていることを特徴とする請求項１乃至請求項１０のいずれか一項に記載の掃除機用床ノズル。
【請求項１２】
前記第１のシーリング手段（８）に、同心円状に固定部（２０）が設けられていることを特徴とする請求項１乃至請求項１１のいずれか一項に記載の掃除機用床ノズル。
【請求項１３】
前記第１のシーリング手段（８）に同心円状に設けられた前記固定部（２０）が、底面形状が楔状の形状をなし、押出し方向（ｒ）に尖った楔状の突起（２１）を有することを特徴とする請求項１乃至請求項１２のいずれか一項に記載の掃除機用床ノズル。
【請求項１４】
前記第１のシーリング手段（８）の前記可動部（１４）が、調節スライダー（１９）によって動くようになっていることを特徴とする請求項１乃至請求項１３のいずれか一項に記載の掃除機用床ノズル。
【請求項１５】
前記調節スライダー（１９）が、前記床ノズル（１）の上方の外部カバー（１８）に設けられることを特徴とする請求項１乃至請求項１４のいずれか一項に記載の掃除機用床ノズル。
【請求項１６】
前記第１のシーリング手段（８）の前記可動部（１４）が、円弧状の部材によって構成されることを特徴とする請求項１乃至請求項１５のいずれか一項に記載の掃除機用床ノズル。
【発明の詳細な説明】
【技術分野】
【０００１】
本発明は、押出し方向に関し、吸気室の前後を仕切る、浮上スキッド等の第１のシーリング手段を有し、吸気室の内部にオプションで回転可能なブラシが配置される、掃除機用床ノズルに関する。
【背景技術】
【０００２】
従来の床ノズルは、公知である。吸気室の前後に配置され、例えば浮上スキッドの形状を有するシーリング手段は、特に、カーペットの床掃除で効果を発揮し、床ノズルは浮上スキッドによって床の上に支持され、これは、吸気室の略密閉状態を提供する。ここで、特に、厚い、及び／又は深いカーペットの床に関して、強い減圧状態が吸気室内で発生し、これによって高められた摩擦に応じて滑り応力を増加させるという欠点を有する。この高められた滑り応力が掃除機の使い勝手を悪くする。
【発明の開示】
【発明が解決しようとする課題】
【０００３】
上記の従来技術に関しては、発明の技術的な問題が内在し、従来の床ノズル、特に、カーペットの床の掃除の際の操作性に関しては、改善する必要があった。
【課題を解決するための手段】
【０００４】
この問題は、請求項１に記載の発明により、略、実質的に解決されるが、その際、通常の押出し方向に関し前方の第１のシーリング手段が、それぞれ、吸気室の幅方向の一部の上に固定され、一部の上ではスライド可能なように、構成されている。この構成の結果、前方の第１のシーリング手段の可動部がスライドする構成によって、吸気室内の支配的な減圧を調節可能な床ノズルが実現される。好ましくは、この前方の第１のシーリング手段は、浮上スキッドである。
【０００５】
この浮上スキッドのスライド式の可動部は、床ノズルの前方部に粗い埃用の開口を開けることができ、これによって、減圧を調整して滑り応力を調節するように補助空気を流すことができる。次に、前方のシーリング手段のスライド式の可動部内に開放された開口部によって、減圧された吸気室部分内に粗い埃を移すことができる。流れ込んだ補助空気は、カーペットの床上の開放された補助空気用の開口部分内にある埃を運び去り、これが更なる利点をもたらす。
【０００６】
本発明は、前方のシーリング手段にスライド式の可動部を形成するによって、吸気室内の減圧調節のために補助空気用の開口を開放できるのみならず、シーリング手段が好ましくは前方の浮上スキッドであり、改善された粗い埃の吸い取りの可能性が与えられ、これが、固定の浮上スキッドのところで粗い埃が吸気室に到達することを禁止するということも可能にする。シーリング手段の可動部がシーリング手段の２つの固定部の間に同心円状に設けられることは、さらに好ましい。
【０００７】
さらに、スライド式に動くシーリング手段の幅は、床ノズルの幅の０．２５〜０，５倍、好ましくは１／３になるように構成される。シーリング手段の可動部は、好ましくは、床ノズルの前方に同心円状に配置され、これが、さらに利点として作用することが証明され、そして、使用者は、原則、より粗い埃をそこに同心円状に吸い取りやすくなる。シーリング手段の可動部の制限された幅を介して、吸い込みを、床ノズルの全幅の１／３程度の大きさのオーダーで行うことは好ましく、もって緩んだ及び／又は厚い、カーペット又はカーペット状の部分のたわんだ上部が開口内に取り込まれる。さらなる好ましく改良された本発明において、少なくとも、押出し方向に前方の第２のシーリング手段が、シーリング手段の可動部に割り当てられるように構成される。この前方の第２のシーリング手段は、さらに好ましく、唇状に形成され、例えば、変形する弾性材料からなり、シールリップのような形状を有する。
【０００８】
この第２のシーリング手段は、また、床ノズルの通常の押出し方向に直交する方向に伸びる。さらに、第２のシーリング手段、それゆえシールリップは、第１のシーリング手段の可動部に対応する幅内にのみ設けられる。好ましくは、第２のシーリング手段が床ノズルの全幅に亘って伸び、第１のシーリング手段の可動部と固定部の両方の前に位置するように構成される。これに関して、第１のシーリング手段の可動部が下げられた状態における第２のシーリング手段は、これに支持されるように、さらに構成される。また、この支持は、さらに好ましくは、割り当てられた部分内において、第１のシーリング手段の固定部に向けられる。
【０００９】
第２のシーリング手段、それゆえ例えば、シールリップは、断面及び弾性に関して、これが、第１のシーリング手段による所謂通常のカーペット上における支持で、わずかに空気を通すことができるように、少なくとも第１のシーリング手段の可動部内に、配置されている。その結果、ほぼ完全な吸気室の密閉が達成される。吸気室内の強まった減圧に応じて、滑り応力が、ユーザが操作困難な値以上に上昇し、そして、第１のシーリング手段の可動部をスライド的に動かすことによって、割り当てられた第２のシーリング手段又は第２のシーリング手段の割り当てられた部分の後方への支持が持ち上げられ、その結果、より多くの空気が開放された作動空気用の開口又は補助空気用の開口を介して吸気室内に吸い込まれ、第２のシーリング手段又はシールリップが流れの方向に関して内部に曲がり込む。
【００１０】
さらに、今度は、粗い埃がそこからシールリップの下へ到達可能になり、そしてこの部分に第１のシーリング手段又はスキッドを介して取り込まれるという、利点を有する。さらに、第２のシーリング手段は、時間の長短はあるが、カーペットの床に食い込む。そして、一様な状態が、全ノズル幅にわたり、掃除するカーペット上に生成される。減圧が強い場合、シールリップの下又は第２のシーリング手段の下から、埃を取り移動させるために吸い込まれる空気がカーペットの上に流れる。好ましくは、第１のシーリング手段の可動部は、第２のシーリング手段の支持のため、支持背部で取り付けられる。後者は、床、即ち、掃除する床上で、例えば浮上スキッド等の第１のシーリング手段よりも短い長さになるように設けられる。
【００１１】
その結果、支持背部は、これが掃除する床に接触しないように調節される。第１のシーリング手段と第２のシーリング手段の間に、中間室が設けられるのは、さらに好ましい。第１のシーリング手段による後方の支持を除去して第２のシーリング手段のフレキシブルな変移をさらに改良するために、本発明による更なる改良では、第２のシーリング手段は、少なくとも、第１のシーリング手段の可動部の一部にヒレ状の部分を形成するために、スリットが設けられる。代わりに、第１のシーリング手段の可動部に割り当てられた第２のシーリング手段のこの部材は、また、ブラシテープ状の形状を有するのでもよい。
【００１２】
また、他の実施例においては、床ノズルの幅方向に、第１のシーリング手段の２つの可動部が設けられ、各可動部が第１のシーリング手段の２つの固定部の間に配置されているのでもよい。そして、床ノズルの幅方向に、互いに離れた第１のシーリング手段の２つの可動部が設けられ、この両方の部材は、これらが同時かつ一様にシフトできるように、共有するキャスター等を有するのでもよい。そして、好ましくは上方から見た形状が押出し方向に楔状にとがった楔形をなす、第１のシーリング手段の同心円状の固定部が設けられるのでもよい。
【００１３】
その結果、第１のシーリング手段の同心円状の固定部は、速くスライドできるように形成される。床ノズルを前方に移動させる過程で、これが、第１のシーリング手段の可動部の移動によって粗い埃用の開口を開放状態にし、支えの隙間ができたときに粗い埃をこれに向け、第１のシーリング手段の特徴的な固定部材に到達させ、この粗い埃が推進力と気流に支えられて左右から吸気室内に入り、排出される。第１のシーリング手段の固定された同心円状のこの部材の補助によって、さらに、カーペットの床の任意の全幅が、第１のシーリング手段の可動部によって開放される補助空気用又は粗い埃用の開口の全幅内で、略２分される。
【００１４】
カーペットの床又はカーペット状の床部分は、吸気室内に吸い込まれないように、同心円状に固定された部材によって抑えられる。その結果、第１のシーリング手段の可動部によって開放された開口もまた厚いカーペット上に開いたままで留まる。使用者は、第１のシーリング手段の可動部を調節スライダーによって動かすことができ、そのために、後者は好ましくは床ノズルの上方の外部カバーに設けられる。そして、使用者は、例えば足を介したスライド操作等によって、滑り応力の上昇を調節でき、これによって、第１のシーリング手段の可動部は、多く又は少なく上下に動かされる。
【００１５】
これによって、使用者は、吸気室内の減圧を最小限にすることができると共に、さらに、もし適用されれば掃除機の最高性能レベルで、繊維の抜け等の悪影響を及ぼすことなく掃除を行うことができる。最後に、第１のシーリング手段の可動部が円弧状の部材によって構成され、円弧状の部材の中心が吸気室内に配置されモータ駆動するブラシの回転軸上に配置されることがさらに好ましい。
【００１６】
まず、図１〜図３に、本発明による図示しない掃除機用の床ノズル１の第１の実施例が図示され、記載されている。床ノズル１は、課題を解決する装置として提供され、接続ノズル２を介して、掃除機に電気的に接続可能かつ流体連通可能になっている。
【００１７】
接続ノズル２は、流体工学的な接続に関して、押出し方向ｒに直交する方向に床ノズル１内に広がり、下方、即ち、掃除する床４方向にスロット状の吸気口５が形成された吸気室３に、（押出し方向ｒに関して）前方部分で接続されている。
【００１８】
また、吸気室３内には、同様に押出し方向ｒに直交する方向に吸気室の略全幅に亘って広がり、電動モータで駆動され、回転可能なブラシ６が設けられている。ブラシ６の毛は、装置台７の上方から吸気口５を通りブラシ掛けする床４に向けて下方に突き出ている。
【００１９】
吸気室３又は吸気口５は、押出し方向ｒに関して前方及び後方に、同様に押出し方向ｒに直交する方向に伸びた第１のシーリング手段８によって、仕切られている。これらは、吸気口５を仕切り、丸い周辺端部が掃除する床４に接触する、浮上スキッド９が形成されている。
【００２０】
浮上スキッド９は、断面形状が円弧状部分を有し、ブラシ軸ｘに関して同心円状に設けられ、さらに、装置台７の上方から下方に突き出した浮上スキッド９が、円弧状部分を保持しながら、ここから装置内部に吸気室を仕切る。これに関連する吸気室の壁部分を、符号１０を用いて示す。
【００２１】
さらに、押出し方向ｒに関して前方の浮上スキッド９から離れて、第２のシーリング手段１１がシールリップ１２の形状で設けられ、後者は、弾性的に後方に変形する、例えばゴム等の材料によって構成される。このようなシールリップ１２又は第２のシーリング手段１１は、押出し方向ｒに関して後方の浮上スキッド９の後ろにも設けられている。両方のシールリップは、装置筐体１３に又は装置台７の一部に固定され、床ノズル１の全幅に亘って第１のシーリング手段８に、同様に広がっている。
【００２２】
さらに、第２のシーリング手段１１は、断面に関して掃除する床４上に垂直に突き出し、各シールリップ１２の、例えば、切断面において尖った任意の周辺端部は、掃除する床４上に軽く突き立って、又は床からわずかに離れて広がっている。両方の第２のシーリング手段１１を有する構成によって、これらの間に形成された吸気室３が、吸気動作に必要な減圧を得るために、上方に向けて、略密閉されている。
【００２３】
押出し方向ｒに関して前方の第１のシーリング手段８の、床ノズル１の幅方向に関して中間の部材は、ブラシの回転軸ｘに関して同心円状に回転する円弧状部分を有する、スライド式の可動部１４として設けられている。この可動部１４の、床ノズル１の幅方向に測った長さは、床ノズルの幅の略１／３である。
【００２４】
可動部分１４は、第１のシーリング手段８の２つの固定部１５の間に同心状に配置されている。
【００２５】
吸気室から離れたところに、第１のシーリング手段８の可動部１４が、さらに適切な形状の支持背部１６を備える。これは、図２に示すように、第１のシーリング手段８の可動部１４が下がった状態で、割り当てられた前方の第２のシーリング手段１１又はシールリップ１２の背部の支持として役立ち、そのために、後者は、割り当てられたこれらの部材内に支持背部１６に接触する突起部１７を有する。
【００２６】
第２のシーリング手段１１又はシールリップ１２は、第１のシーリング手段８の可動部１４の幅方向に、ヒレ状の部分を形成するためにスリットが設けられる。
【００２７】
第１のシーリング手段８の可動部１４は、接続レバー２５によって床ノズル１の上方の外部カバー１８に配置された調節スライダー１９に接続されている。後者を用いることによって、第１のシーリング手段８の可動部１４は、使用者によって、マニュアルで、図２に示す垂直方向の最下部から上方の位置に移動しうる。
【００２８】
第１のシーリング手段８の可動部１４は、作動空気用のスライダーとして設けられ、同時にこの部分に浮上スキッド９が形成されている。加えて、所定の部分、即ち、このスライダーの支持背部１６が、前方のシールリップ１２を内側部分で支持する。後者は、少なくとも、断面形状及び材料の面で、支持背部１６の補助の下、所謂標準的なカーペット上において吸気室３内に過剰に空気が入り込まないように、可動部１４の一部に適切に設けられる。そして、図３に示すように、スライダー又は第１のシーリング手段８の可動部１４は、円弧状の軌道を上方に持ち上げられ、もって、割り当てられたシールリップ１２から支持作用が内側に外される。
【００２９】
その結果、これらは、強く減圧された空気によって吸気室３内に押し流され、シールリップ１２が内側に折れ曲がる。これによって、滑り応力が減ることになる。さらに、これは、粗い誇りが今度はシールリップ１２の下に到達することができ、この部分で浮上スキッドを介して取り込まれてしまい、もって上方に運ばれるという長所を有する。さらに、シールリップ１２は、時間の長短を別にして、カーペットの床に入り込む。それによって、所謂プリントカーペット上で、全ノズル幅に亘って、一様な状態が生成される。強い減圧の場合、シールリップ１２の下方の空気が、そこからカーペットの上方に流れ、これが、埃を取り出し、吸気室内に移動させることに利用される。
【００３０】
調節スライダー１９を用いて減圧操作することによって、滑り応力が調節可能であり、そのために、第１のシーリング手段８の可動部１４が、多く又は少なく上下される。
【００３１】
図５〜図７に本発明による床ノズル１の第２の実施例が図示され、この実施例は、第１のシーリング手段８が床ノズル１の幅方向に２つの可動部１４を有し、それぞれが第１のシーリング手段８の２つの固定部１５の間に割り当てられている点で上記の実施例と異なるものである。ここで、第１のシーリング手段８に、同心円状に配置され、底面形状が楔状の形状をなし、押出し方向ｒに尖った楔状の突起２１を有する固定部材２０が設けられている。第１のシーリング手段８の、同心円状に配置されたこの固定部材２０は、ブリッジ２２を介して外側の２つの固定部１５に接続されている。
【００３２】
この構成によって、床ノズル１の前方の、前方の第１のシーリング手段８の一部に、作動空気用の開口として利用できる２つの部分が設けられることになる。第１のシーリング手段８の、自由に開放される後者の可動部１４は、浮上スキッド構造の上方で相互に接続され、第１の実施例に対応する、接続レバー２５と調節スライダー１９によって移動可能になっている。
【００３３】
第１のシーリング手段８の中間の固定部材２０のデザインは、除雪車に似ている。粗い埃用のスライダーを開放することによって、即ち、可動のシーリング手段１４を持ち上げることによって、粗い埃が同心円状に配置された部材２０の楔状の突起２１に向けて引き寄せられ、そして、粗い埃が推進力と気流に支えられて固定部材２０を左右から通り過ぎて吸気室３内に入り、排出される。同心円状の固定部材２０を有する構成によって、掃除するカーペットの床の任意の全幅が、作動空気用の開口部、即ち、可動部１４を持ち上げることによって、開放された部分で略２分され、その結果、厚いカーペット状の部分を吸気口５内に吸い込むことが特に妨げられる。同心円状に設けられた固定部材２０は、結果としてサプレッサーとして機能する。
【００３４】
全ての開示された特徴は、（それ自身が）発明の要部をなす。本出願の開示において、付随／添付の優先権書面（先の出願のコピー）の開示内容は、また、これでもって十分に取り込まれ、本書面の目的及び特徴に関しても、先の出願の特許請求の範囲内に含まれている。
【図面の簡単な説明】
【００３５】
【図１】本発明による床ノズルの一部を表す斜視図である。
【図２】第１のシーリング手段のスライド式の可動部が持ち上げられた状態での、図１に示すＩＩ−ＩＩ線についての断面図である。
【図３】図２に対応する図であって、可動なシーリング手段が同様にスライドした後の状態を示す図である。
【図４】第２の実施例にかかる床ノズルの部分的な底面図である。
【図５】第２の実施例にかかる床ノズルの正面図である。
【図６】第２の実施例の、可動部が下げられた状態を示す詳細な斜視図である。
【図７】図６に対応する詳細な斜視図であって、可動なシーリング手段が持ち上げられた状態を示す図である。
【符号の説明】
【００３６】
１  床ノズル
２  接続ノズル
３  吸気室
４  床
５  吸気口
６  ブラシ
７  装置台
８、１１  シーリング手段
９  浮上スキッド
１０  吸気室の壁部分
１２  シールリップ
１３  装置筐体
１４  可動部
１５  固定部
１６  支持背部
１７、２１  突起部
１８  外部カバー
１９  調節スライダー
２０  固定部材
２２  ブリッジ
２５  接続レバー
【図１】
2007520293.tif 000003
【図２】
2007520293.tif 000004
【図３】
2007520293.tif 000005
【図４】
2007520293.tif 000006
【図５】
2007520293.tif 000007
【図６】
2007520293.tif 000008
【図７】
2007520293.tif 000009
【手続補正書】
【提出日】平成17年8月31日(2005.8.31)
【手続補正１】
【補正対象書類名】特許請求の範囲
【補正対象項目名】全文
【補正方法】変更
【補正の内容】
【特許請求の範囲】
【請求項１】
浮上スキッド（９）を含む第１のシーリング手段（８）によって、押出し方向（ｒ）に関して前後が仕切られた吸気室（３）を備え、前記吸気室（３）の内側に、必要に応じて回転可能なブラシ（６）が配置され、前記吸気室（３）が通常の押出し方向ｒに直交する方向に対応する幅に亘って広がった床ノズル（１）であって、
少なくとも、通常の押出し方向（ｒ）に関して、前方の前記第１のシーリング手段（８）が、前記吸気室（３）の幅の一部に亘って固定され、前記幅の０．２５〜０．５倍に亘る部分が可動であり、前記第１のシーリング手段（８）の前記可動部（１４）が滑り応力を調節するために上下に可動になっていることを特徴とする掃除機用床ノズル。
【請求項２】
前記第１のシーリング手段（８）の可動部（１４）が、前記第１のシーリング手段（８）の２つの固定部（１５）の間に同心円状に配置されることを特徴とする請求項１に記載の掃除機用床ノズル。
【請求項３】
少なくとも、前記第１のシーリング手段（８）の前記可動部（１４）に、押出し方向（ｒ）に関して前方に第２のシーリング手段（１１）が割り当てられていることを特徴とする請求項１又は請求項２に記載の掃除機用床ノズル。
【請求項４】
前記第２のシーリング手段（１１）が、唇状に形成されていることを特徴とする請求項３に記載の掃除機用床ノズル。
【請求項５】
前記第２のシーリング手段（１１）が、変形する弾性材料からなることを特徴とする請求項３又は請求項４に記載の掃除機用床ノズル。
【請求項６】
前記第２のシーリング手段（１１）が、前記第１のシーリング手段（８）の前記可動部（１４）が下がった状態で、これに支持されることを特徴とする請求項３乃至請求項５のいずれか一項に記載の掃除機用床ノズル。
【請求項７】
前記第１のシーリング手段（８）の前記可動部（１４）が、前記第２のシーリング手段（１１）の支持のために支持背部（１６）を有することを特徴とする請求項３乃至請求項６のいずれか一項に記載の掃除機用床ノズル。
【請求項８】
前記支持背部（１６）が、床を向いているときに、前記第１のシーリング手段（８）よりも短く突き出るように設けられていることを特徴とする請求項７に記載の掃除機用床ノズル。
【請求項９】
前記第１のシーリング手段（８）と前記第２のシーリング手段（１１）の間に中間室が設けられていることを特徴とする請求項３乃至請求項８のいずれか一項に記載の掃除機用床ノズル。
【請求項１０】
前記第２のシーリング手段（１１）が、少なくとも、前記第１のシーリング手段（８）の前記可動部（１４）の一部に、ヒレ状部材を形成するためにスリットが設けられていることを特徴とする請求項３乃至請求項９のいずれか一項に記載の掃除機用床ノズル。
【請求項１１】
前記床ノズル（１）の幅方向に、前記第１のシーリング手段（８）の２つの固定部（１５）の間にそれぞれ割り当てられた、前記第１のシーリング手段（８）の前記可動部（１４）が設けられていることを特徴とする請求項１乃至請求項１０のいずれか一項に記載の掃除機用床ノズル。
【請求項１２】
前記第１のシーリング手段（８）に、同心円状に固定部（２０）が設けられていることを特徴とする請求項１１に記載の掃除機用床ノズル。
【請求項１３】
前記第１のシーリング手段（８）に同心円状に設けられた前記固定部（２０）が、底面形状が楔状の形状をなし、押出し方向（ｒ）に尖った楔状の突起（２１）を有することを特徴とする請求項１２に記載の掃除機用床ノズル。
【請求項１４】
前記第１のシーリング手段（８）の前記可動部（１４）が、調節スライダー（１９）によって動くようになっていることを特徴とする請求項１乃至請求項１３のいずれか一項に記載の掃除機用床ノズル。
【請求項１５】
前記調節スライダー（１９）が、前記床ノズル（１）の上方の外部カバー（１８）に設けられることを特徴とする請求項１４に記載の掃除機用床ノズル。
【請求項１６】
前記第１のシーリング手段（８）の前記可動部（１４）が、円弧状の部材によって構成されることを特徴とする請求項１乃至請求項１５のいずれか一項に記載の掃除機用床ノズル。
【手続補正２】
【補正対象書類名】明細書
【補正対象項目名】０００２
【補正方法】変更
【補正の内容】
【０００２】
従来の床ノズルは、公知である。吸気室の前後に配置され、例えば浮上スキッドの形状を有するシーリング手段は、特に、カーペットの床掃除で効果を発揮し、床ノズルは浮上スキッドによって床の上に支持され、これは、吸気室の略密閉状態を提供する。ここで、特に、厚い、及び／又は深いカーペットの床に関して、強い減圧状態が吸気室内で発生し、これによって高められた摩擦に応じて滑り応力を増加させるという欠点を有する。この高められた滑り応力が掃除機の使い勝手を悪くする。バネで閉じ断面形状がＹ状のダンパーを備えた床ノズルは、公知であり(例えば、特許文献１参照。)。このダンパーの補助の下、粗い埃をより良く払い落とすことが可能となる。ダンパーは、ここを通って発生する応力によってダンパー位置に押されるが、粗い埃はノズル内に存在し、バネの力に応じてダンパーは再び元の位置（Ｕバネ位置）に復元するように、必然的にそのような粗い埃に応答する。
【特許文献１】独国第４４１２９８８Ａ１号公報
【手続補正３】
【補正対象書類名】明細書
【補正対象項目名】０００３
【補正方法】変更
【補正の内容】
【０００３】
所謂、従来技術に基づいて、本発明に、従来の床ノズルを改善するという課題、特にカーペットの床の掃除の際の操作性に関して改善されていることという課題が課される。
【手続補正４】
【補正対象書類名】明細書
【補正対象項目名】０００４
【補正方法】変更
【補正の内容】
【０００４】
この課題は、請求項１の発明によって解決される。前方の第１のシーリング手段が可動部を有するスライド的な構成によって、床ノズルは、吸気室内の支配的な減圧に応じて調節できる。好ましくは、この前方の第１のシーリング手段は、浮上スキッドである。
【手続補正５】
【補正対象書類名】明細書
【補正対象項目名】０００５
【補正方法】変更
【補正の内容】
【０００５】
この浮上スキッドのスライド式の可動部は、床ノズルの前方部に粗い埃用の開口を開けることができ、これによって、減圧を調整して滑り応力を調節するように補助空気を流すことができる。次に、前方のシーリング手段のスライド式の可動部内に開放された開口部によって、減圧された吸気室部分内に粗い埃を移すことができる。流れ込んだ補助空気は、カーペットの床上の開放された補助空気用の開口部分内にある埃を運び去り、これが更なる利点をもたらす。
【国際調査報告】
2007520293.tif 000010
2007520293.tif 000011
2007520293.tif 000012
2007520293.tif 000013
2007520293.tif 000014
2007520293.tif 000015